(57)【要約】      （修正有）【課題】複数枚のカード類を確実に保持しつつ取り出しやすいカードケースを提供する。【解決手段】複数枚のカード類を重ねて収納するための収納部２０と、収納部の左右方向に配置された一対の側部３０と、収納部の前方に配置された前部４０と、収納部の後方に配置された後部５０と、を有し、収納部は、複数枚のカード類を重ねて収納するためにそれらの外形に倣う形状を呈すると共に、一対の側部と、前部と、後部とは、複数枚のＩＣカードを重ねて収納したときに少なくともそれらの厚さに相当する高さを有する。また、後部に、カード類を取り出すための切り欠き部５１を有する。【選択図】図１
0003219258.tif 000002
【実用新案登録請求の範囲】
【請求項１】
複数枚のカード類を重ねて収納するための収納部と、
前記収納部の左右方向に配置された一対の側部と、
前記収納部の前方に配置された前部と、
前記収納部の後方に配置された後部と、を有し、
前記収納部は、前記複数枚のカード類を重ねて収納するためにそれらの外形に倣う形状を呈すると共に、
前記一対の側部と、前記前部と、前記後部とは、前記複数枚のＩＣカードを重ねて収納したときに少なくともそれらの厚さに相当する高さを有するカードケース。
【請求項２】
ＩＣカードと、前記ＩＣカードと非接触型ＩＣカードリーダー装置との通信における近距離無線通信用のＮＦＣ電波に反応して光るカードと、を重ねて収納するための収納部と、
前記収納部の左右方向に配置された一対の側部と、
前記収納部の前方に配置された前部と、
前記収納部の後方に配置された後部と、を有し、
前記収納部は、前記ＩＣカードと、前記光るカードとを重ねて収納するためにそれらの外形に倣う形状を呈すると共に、
前記一対の側部と、前記前部と、前記後部とは、前記ＩＣカードと前記光るカードとを重ねて収納したときに少なくともそれらの厚さに相当する高さを有するカードケース。
【請求項３】
前記一対の側部の上端部に、前記複数枚のカード類又は、前記ＩＣカードと前記光るカードとを重ねて収納したときにそれらの飛び出しを防止するための第１固定爪部と、第２固定爪部と、のいずれか一方又は双方を有する請求項１又は２記載のカードケース。
【請求項４】
前記第１固定爪部と、前記第２固定爪部とは、前記一対の側部の上端部に、それぞれ２箇所ずつ設けた請求項３記載のカードケース。
【請求項５】
前記後部に、前記複数枚のカード類又は、前記ＩＣカードと前記光るカードを取り出すための切り欠き部を有する請求項２から３いずれか１項記載のカードケース。
【請求項６】
前記カードケースは、樹脂で成形した請求項１から５いずれか１項記載のカードケース。
【考案の詳細な説明】
【技術分野】
【０００１】
本考案は、複数枚のカード類を収納できるカードケースであり、特に、複数枚の「ＩＳＯ/ＩＥＣ ７８１０」の「ＩＤ−１」サイズのカードを収納できるカードケースに関するものである。
【背景技術】
【０００２】
「ＩＳＯ/ＩＥＣ ７８１０」は、ＩＤ−１、 ＩＤ−２、 ＩＤ−３、 ＩＤ−０００から構成される身分証明書の国際規格であり、そのうち、ＩＤ−１は、８５．６０ミリメートル かける ５３．９８ ミリメートルであり、交通系のＩＣカードのサイズとして、採用されている。
【０００３】
上記ＩＣカードを収納するカードケースとして、特開２００４−３４４２６１号公報が開示されている。これは、一対の対向する面板の間に該面板の一端側を挿脱口とする扁平な収納空間を形成し、該収納空間にカードを挿入し保持するものであって、一方の面板には、保持されているカードの一部を表出させることによりカードを指で押圧して挿脱方向に操作することを可能にする窓を形成するとともに、他方の面板には、カードを指で押圧した際に当該カードとの接触を避ける方向に湾曲した内面を形成していることを特徴とするカードケースである。
【０００４】
上記カードケースは、内部に収納されているカードを使用する際に、一方の面板に形成されている窓から、そのカードの一部を表出させることにより、そのカードをその窓から指で押圧して挿脱方向に操作することを可能にするものである。
【０００５】
しかしながら、上記発明は、１枚のカードをそのカードケースから取り出し可能にしたものであるものの、複数のカード類を確実に保持しつつ、かつ取り出しやすくしたものではない。
【先行技術文献】
【特許文献】
【０００６】
【特許文献１】特開２００４−３４４２６１号公報
【考案の開示】
【考案が解決しようとする課題】
【０００７】
本考案は前記の点に着目してなされたもので、その課題は、複数枚のカード類を確実に保持しつつ、かつ取り出しやすいカードケースを提供することを目的とする。
【０００８】
第１観点におけるカードケースは、複数枚カード類を重ねて収納するための収納部と、収納部の左右方向に配置された一対の側部と、収納部の前方に配置された前部と、収納部の後方に配置された後部と、を有し、収納部は、前記複数枚のＩＣカードを重ねて収納するためにそれらの外形に倣う形状を呈すると共に、一対の側部と、前部と、後部とは、複数枚のＩＣカードを重ねて収納したときに少なくともそれらの厚さに相当する高さを有するというものである。
【０００９】
第２観点におけるカードケースは、ＩＣカードと非接触型ＩＣカードリーダー装置との通信における近距離無線通信用のＮＦＣ電波に反応して光るカードと、を重ねて収納するための収納部と、収納部の左右方向に配置された一対の側部と、収納部の前方に配置された前部と、収納部の後方に配置された後部と、を有し、収納部は、ＩＣカードと、光るカードとを重ねて収納するためにそれらの外形に倣う形状を呈すると共に、一対の側部と、前部と、後部とは、ＩＣカードと光るカードとを重ねて収納したときに少なくともそれらの厚さに相当する高さを有するというものである。
【００１０】
第３観点におけるカードケースは、第１観点または第２観点において、一対の側部の上端部に、ＩＣカードと、光るカードとを重ねて収納したときにそれらの飛び出しを防止するための第１固定爪部と、第２固定爪部と、のいずれか一方又は双方を有するというものである。
【００１１】
第４観点におけるカードケースは、第３観点において、第１固定爪部と、第２固定爪部とは、一対の側部の上端部に、それぞれ２箇所ずつ設けたというものである。
【００１２】
第５観点におけるカードケースは、第１観点から第４観点において、後部に、ＩＣカードまたは光るカードを取り出すための切り欠き部を有するというものである。
第６観点におけるカードケースは、第１観点から第５観点において、カードケースは、樹脂で成形したというものである。
【考案の効果】
【００１３】
本考案によれば、複数枚のカード類を確実に保持しつつ、かつ取り出しやすいカードケースを提供することができる。
【図面の簡単な説明】
【００１４】
【図１】本実施例におけるカードケースの斜視図である。
【図２】本実施例におけるカードケースの平面図である。
【図３】本実施例におけるカードケースの背面図である。
【図４】本実施例におけるカードケースを後方Ｒ方向から見た側面図である。
【図５】図１におけるＶ−Ｖ線断面図である。
【図６】図１におけるＶＩ−ＶＩ線断面図である。
【図７】カードケースから光るカードとＩＣカードをつまみ上げた状態の斜視図である。
【図８】カードケースから光るカードとＩＣカードを引き抜こうとする状態の斜視図である。
【図９】カードケースに光るカードとＩＣカードを配置した状態の斜視図である。
【考案を実施するための形態】
【００１５】
本実施例のカードケース１０は、複数枚のカード類または、ＩＣカードｃ1とそのＩＣカードｃ1と非接触型ＩＣカードリーダー装置との通信における近距離無線通信用のＮＦＣ電波に反応して光るカードｃ２とを重ねて収納するための収納部２０を有するものである。ここで複数枚のカード類とは、ＩＣカードｃ1のみならず、そのＩＣカードｃ１を装飾するカード（図示せず）を含むものであり、それらを重ねてその収納部２０に収納するものである。なお、ＩＣカードｃ１を装飾するカードとは、写真あるいは、特定のキャラクターを描写したＩＣカードｃ１の形状を有する合成樹脂製のカードのみならず紙製のカードを含むものである。また、収納部２０は、平面視において、ＩＣカードｃ1の外形に倣う形状を呈している。本実施例においては、８５．６０ミリメートル × ５３．９８ ミリメートルが好ましいが、これに限られることはない。なお、本実施例においては、光るカードｃ２を上に配置し、ＩＣカードｃ1を下に配置することもできるが、カードケース１０が透明の樹脂製の場合は、ＩＣカードｃ1を上に配置し、光るカードｃ２を下に配置することもできる。これについては後述する。
【００１６】
また、上記カードケース１０は、複数枚のＩＣカードｃ1を収納するのみならず、ＩＣカードｃ１と、そのＩＣカードｃ1との通信における近距離無線通信用のＮＦＣ電波に反応して光るカードｃ２を同時に収納することができる。ここで、ＮＦＣ電波に反応して光るカードｃ２とは、ＬＥＤを内蔵したカードであって、ＩＣカードｃ1と、電車やバスなどにおける自動改札機などの非接触型ＩＣカードリーダー装置との電波に反応して、発光するカードである。なお、この光るカードｃ２は、電源を内蔵することなく発光するものである。特にＰＩＩＣＡ（登録商標）と呼ばれるカードが好ましい。
【００１７】
カードケース１０は、樹脂で一体成形することが好ましく、光るカードｃ２が発光する場合に、その光を透過するために透明なポリカーボネートが好ましいがこれに限定されることはなく、ポリスチレンやアクリル樹脂が好ましい。
【００１８】
収納部２０は、その周囲を取り囲むように、一対の側部３０、３０と、前部４０と、後部５０とを有するものである。一対の側部３０、３０は、収納部２０の左方向ｌと右方向ｒの左右方向にそれぞれ配置され、前部４０は、収納部２０の前方Ｆ方向に配置され、後部５０は、収納部２０の後方Ｒ方向に配置されている。
【００１９】
一対の側部３０、３０とは、互いに対向する位置に配置され、いわば壁状を呈するものである。また、前部４０と後部５０も同様に、後述するように、ＩＣカードｃ１と光るカードｃ２と、を重ねた高さを有することが好ましい。さらに、ＩＣカードｃ１と光るカードｃ２との出し入れのしやすさあるいは、もう１枚薄いカードを入れることを想定すると３．５ミリメートルであることも好ましい。また、収納部２０は、一対の側部３０、３０と、前部４０と、後部５０に対して、いわば凹状を呈するものであり、少なくとも２枚のカードを重ねて収納部２０に配置した場合に、一対の側部３０、３０と、前部４０と、後部５０と、にその収納部２０が取り囲まれるように配置されることによってその２枚のカードを、カードケース１０に配置することができる。なお、一対の側部３０、３０と、前部４０と、後部５０との高さは２．５ミリメートルでも好ましい。ＩＣカードｃ１（０．８ｍｍの厚み）と光るカードｃ２（１．２ｍｍの厚み）を重ねて収納するからである。
【００２０】
また、一対の側部３０、３０との上端部にそれぞれ、第１固定爪部３１と、第２固定爪部３２とをそれぞれ配置することができる。第１固定爪部３１と、第２固定爪部３２とは、共に、内側に突出するように構成され、平面視矩形状を呈するものである。第１固定爪部３１と、第２固定爪部３２とは共に板状を呈するものである。
【００２１】
このように第１固定爪部３１と、第２固定爪部３２とをそれぞれ一対の側部３０、３０との上端部に配置することができる。これにより、収納部２０にＩＣカードｃ1を配置した場合に、そのＩＣカードｃ1を保持し、収納部２０の上方Ｕ方向に外れにくいものとなる（図４参照）。また、第１固定爪部３１と、第２固定爪部３２によって、光るカードｃ２やＩＣカードｃ１を保持することで、それらの絵柄Ｆを、隠すことがない。また、第１固定爪部３１と、第２固定爪部３２とをそれぞれ一対の側部３０、３０との上端部に２箇所ずつ配置することができる。また、第１固定爪部３１と、第２固定爪部３２とは共に板状を呈するものである。なお、収納部２０に配置された光るカードｃ２やＩＣカードｃ１を水平方向に取り外すことは可能である。これについては後述する。なお、第１固定爪部３１の位置は、後部５０から１６ミリメートルの位置が好ましい。光るカードｃ２やＩＣカードｃ１の出し入れのしやすさと、収納されたカードが一定の衝撃で離脱しない位置である。
【００２２】
収納部２０は、空気を流通させるための第１空気孔２１、２１と、第２空気孔２２、２２とをそれぞれ、第１固定爪部３１、３１と、第２固定爪部３２、３２との直下に配置することができる。後述するように本実施例のカードケース１０を合成樹脂で１度に成形するために好ましいからである。
【００２３】
前部４０は、使用者が把持するための、把持部４１を有し、その把持部４１にストラップを取り付けるためのストラップ取り付け孔４２を有する。これにより図示しないストラップを取り付けることができる。
【００２４】
後部５０は、使用者の指を掛けて収納部２０に配置したカードを取り出すために、後部５０の一部を排除した状態を呈する切り欠き部５１を有する。切り欠き部５１は、後部５０から徐々に下降するように曲面で構成され、その切り欠き部５１の底の部分は、収納部２０と面一であるように構成されていることが好ましい。
【００２５】
次に、本実施例のカードケース１０に配置したＩＣカードｃ1と、光るカードｃ２を取り外す方法について説明する。まず光るカードｃ２を上に配置し、ＩＣカードｃ1を下に配置し、それらを重ねて本実施例のカードケース１０における収納部２０に配置する。この状態において、切り欠き部５１から使用者の指を差し入れて、光るカードｃ２とＩＣカードｃ1をつまむ（図７参照）。第１固定爪部３１と、第２固定爪部３２によって保持されている光るカードｃ２と、ＩＣカードｃ1が撓み、後部５０にそれらが乗り上げることによって、光るカードｃ２とＩＣカードｃ1を引きだすことができるのである（図８参照）。このように、本実施例のカードケース１０は、複数のカード類を確実に保持しつつ、かつ取り出しやすいというものである。
【００２６】
本実施例のカードケース１０は、ＩＣカードｃ1と、そのＩＣカードと非接触型ＩＣカードリーダー装置との通信における近距離無線通信用のＮＦＣ電波に反応して光るカードｃ２と、を重ねて収納すると同時に、それら周囲を取り囲むように、一対の側部３０、３０と、前部４０と、後部５０とを有するために、収納部２０にこれらのカードを確実に配置することができる。
【００２７】
また、収納部２０はいわば、板状を呈するものであるが、その上方は、板状のものを有せず、オープンな構成であるので、光るカードｃ２の表面を露出することができる。これにより、光るカードｃ２を上にし、ＩＣカードｃ1を下にし、それらを重ねるように配置する。その光るカードｃ２と、ＩＣカードｃ１がカードケース１０に収納された状態で、図示しない自動改札機や自動決済機にかざすとＩＣカードｃ１を利用できると共に、光るカードｃ２の絵柄Ｆが発光し、それを目視することができる（図９参照）。なお、光るカードｃ２の絵柄Ｆの部分にはあらかじめＬＥＤが埋め込まれており、それを駆動する回路が組み込まれていることはいうまでもない。また、カードケース１０が透明の樹脂製の場合は、ＩＣカードｃ1′を上に配置し、光るカードｃ２′を下に配置することもできる（図７、８参照）。これにより透明なカードケース１０の裏側から、発光した絵柄を目視することができる（図示せず）。
【００２８】
また、上述のとおり、収納部２０はいわば、板状を呈するものであるが、その上方は、板状のものを有せず、オープンな構成であるので、カードケースの両面をプラスティック板面で覆う張り合わせの工程を必要とせず、カードケース１０を合成樹脂で成形することで１度に成形することができる。
【符号の説明】
【００２９】
１０  カードケース
２０  収納部
３０  一対の側部
３１  第１固定爪部
３２  第２固定爪部
４０  前部
５０  後部
５１  切り欠き部
【図１】
0003219258.tif 000003
【図２】
0003219258.tif 000004
【図３】
0003219258.tif 000005
【図４】
0003219258.tif 000006
【図５】
0003219258.tif 000007
【図６】
0003219258.tif 000008
【図７】
0003219258.tif 000009
【図８】
0003219258.tif 000010
【図９】
0003219258.tif 000011
【手続補正書】
【提出日】平成30年10月19日(2018.10.19)
【手続補正１】
【補正対象書類名】実用新案登録請求の範囲
【補正対象項目名】全文
【補正方法】変更
【補正の内容】
【実用新案登録請求の範囲】
【請求項１】
複数枚のカード類を重ねて収納するための収納部と、
前記収納部の左右方向に配置された一対の側部と、
前記収納部の前方に配置された前部と、
前記収納部の後方に配置された後部と、を有し、
前記収納部は、前記複数枚のカード類を重ねて収納するためにそれらの外形に倣う形状を呈すると共に、
前記一対の側部と、前記前部と、前記後部とは、前記複数枚のＩＣカードを重ねて収納したときに少なくともそれらの厚さに相当する高さを有するカードケース。
【請求項２】
ＩＣカードと、前記ＩＣカードと非接触型ＩＣカードリーダー装置との通信における近距離無線通信用のＮＦＣ電波に反応して光るカードと、を重ねて収納するための収納部と、
前記収納部の左右方向に配置された一対の側部と、
前記収納部の前方に配置された前部と、
前記収納部の後方に配置された後部と、を有し、
前記収納部は、前記ＩＣカードと、前記光るカードとを重ねて収納するためにそれらの外形に倣う形状を呈すると共に、
前記一対の側部と、前記前部と、前記後部とは、前記ＩＣカードと前記光るカードとを重ねて収納したときに少なくともそれらの厚さに相当する高さを有するカードケース。
【請求項３】
前記一対の側部の上端部に、前記複数枚のカード類と、を重ねて収納したときにそれらの飛び出しを防止するための第１固定爪部と、第２固定爪部と、のいずれか一方又は双方を有する請求項１記載のカードケース。
【請求項４】
前記一対の側部の上端部に、前記ＩＣカードと、前記光るカードと、を重ねて収納したときにそれらの飛び出しを防止するための第１固定爪部と、第２固定爪部と、のいずれか一方又は双方を有する請求項２記載のカードケース。
【請求項５】
前記第１固定爪部と、前記第２固定爪部とは、前記一対の側部の上端部に、それぞれ２箇所ずつ設けた請求項３又は４記載のカードケース。
【請求項６】
前記後部に、前記複数枚のカード類を取り出すための切り欠き部を有する請求項１又は３記載のカードケース。
【請求項７】
前記後部に、前記ＩＣカードと前記光るカードを取り出すための切り欠き部を有する請求項２又は４記載のカードケース。
【請求項８】
前記カードケースは、樹脂で成形した請求項１から７のいずれか１項記載のカードケース。